(57)【要約】本発明は、多言語文字入力装置に関し、ソフトウェア的に選択された国の文字を文字音素に変換してキーに表出し、表出された文字音素が選択されて入力されるキーボード部；入力された文字を画面に出力する表示部；文字音素、データリスト及びプログラムが保存されている保存部及び前述のキーボード部、表示部及び保存部を制御する制御部を含み、前述のキーボード部は、上段に配置された数字と記号を表出する数字/記号キー部；前述の数字/記号キー部の次に配置されて機能、文字又は設定された機能を表出し、複数のキーが追加されることのできるＦキー部；前述のＦキー部の次に各言語の基本音素を表出する文字キー部及び前述の文字キー部の中に変形音素又は設定された記号を表出することのできる複数の追加キーを含み、言語変換時に前述の文字キー部の音素数を超える言語は前述のＦキー部と複数の追加キーに配置し、当該文字音素を全て表出して各言語の文字を１回のキー操作で入力できることを特徴とする。
2019530101.tif 000002
【特許請求の範囲】
【請求項１】
各言語の文字を音素に変換してキーに表出し、表出された文字音素が選択されて入力されるキーボード部；入力された文字を画面に出力する表示部；文字音素、データリスト及びプログラムが保存されている保存部及び前記キーボード部、表示部及び保存部を制御する制御部を含む多言語文字入力装置において、前記キーボード部は、上段に配置された数字と記号を表出する数字/記号キー部；前記数字/記号キー部の次に配置されて機能や文字又は設定された機能を表出するＦキー部；前記Ｆキー部の次に各言語の基本音素を表出する文字キー部及び前記文字キー部の中に変形音素又は設定された記号を表出することのできる複数の追加キーを含み、前記キーボードの言語変換キーを使って言語変換時に前記文字キー部の音素数を超える言語は前記Ｆキー部と複数の追加キーに配置し、当該文字音素を全て表出して各言語の文字を１回のキー操作で入力できることを特徴とする多言語文字入力装置。
【請求項２】
請求項１において、前記キーボード部の変換キー又はファンクションキーには、機能又はデータを予め登録したり削除することのできる事前設定機能が含まれていることを特徴とする多言語文字入力装置。
【請求項３】
請求項２において、前記キーボード部の言語変換キーを長押ししたり繰り返し打つと前記表示部に言語リストが表示され、全世界言語リストからユーザー言語リストに登録又は削除することのできることを特徴とする多言語文字入力装置。
【請求項４】
請求項３において、前記ユーザー言語リストが複数である場合、言語変換キーを１回ずつ押す度ユーザーリストの言語音素が順次にキーボードに表出されることを特徴とする多言語文字入力装置。
【請求項５】
請求項２において、前記Ｆキー部はＦ＋αキーと複数のFキーで構成され、複数のFキーが追加されることができ、Ｆ＋αキーが活性化されていなければ複数のＦキー固有の機能が表出され、Ｆ＋αキーを押す回数によって追加された機能と連動するＦキーや文字音素が順次に表出されることを特徴とする多言語文字入力装置。
【請求項６】
請求項５において、前記Ｆ＋αキーを長押しすると設定画面が表示部に表示され、各Fキーに表出される機能や文字を登録又は削除することができ、Ｆキーが表出される順番を指定することができることを特徴とする多言語文字入力装置。
【請求項７】
請求項２において、前記複数の追加キーは、基本文字、変形文字、特殊文字、記号、符号、絵、写真などを入力するように使用されたり、ファンクションキーを設定するために使用されたり、「全体選択」、「コピー」、「保存」、「貼り付け」、「切り取り」及び「元に戻す」を含む編集を行うファンクションキーとして使用されるように設定されることを特徴とする多言語文字入力装置。
【請求項８】
請求項７において、前記複数の追加キーを１回押すと基本文字、変形文字、特殊文字、記号、符号、絵、写真が入力されたりファンクションキーが実行され、前記複数の追加キーを長押しすると編集ファンクションキーが実行されることを特徴とする多言語文字入力装置。
【請求項９】
請求項２において、前記数字/記号キー部は数字又は記号を直接入力することができ、数字/記号キーのうち任意のキーを長押しすると、数字/記号キー部全体において数字は記号に転換され、記号は数字に転換されて表出されることを特徴とする多言語文字入力装置。
【請求項１０】
請求項２において、前記数字/記号キー部にトグル機能の数字/記号変換キーが含まれていることを特徴とする多言語文字入力装置。
【請求項１１】
請求項２において、前記Ｆキー部と数字/記号キー部は、基本キー以外にもさらに追加キーを含み、追加キーには予めユーザーがデータを登録したり削除することのできるユーザー定義のキーが含まれていることを特徴とする多言語文字入力装置。
【請求項１２】
請求項１１において、前記ユーザー定義のキーは任意のキーのうち２つを同時に押すと表示部に設定画面が表示され、各キーに表出される複数のデータを登録したり削除することができ、各キーを長押しすると事前登録された複数のデータが所定の時間間隔で順次に変換され、指を離すと、そのとき現れていたデータが各キーに表出されることを特徴とする多言語文字入力装置。
【請求項１３】
請求項１において、ハングル入力キーボードは、文字キー部に子音１９文字
2019530101.tif 000011
と母音１４文字
2019530101.tif 000012
を全て表出することを特徴とする多言語文字入力装置。
【請求項１４】
請求項１において、前記言語変換キーでハングル（訓民正音）を選択すると、ハングルの子音１９文字
2019530101.tif 000013
と母音１４文字
2019530101.tif 000014
及び訓民正音の４文字
2019530101.tif 000015
を含むハングルの古語が表出されることを特徴とする多言語文字入力装置。
【請求項１５】
請求項１において、言語別に各言語の構成音素の順番通りに配列していることと、既存のQWERTY配列キーボードに相互転換できることを特徴とする多言語文字入力装置。
【請求項１６】
請求項１において、前記キーボード部の第１行の中央にピリオドとコンマを配置するが、２つのキーに上下又は左右に配置したり、１つのキーに上下又は左右に配置したり、１つのキーにピリオドとコンマのうちいずれか１つを配置することを特徴とする多言語文字入力装置。
【請求項１７】
請求項１において、前記キーボード部に大文字・小文字変換キーを含み、大文字・小文字変換は文字が入力されてから大文字・小文字変換キーを押すと空白が入力された後の文字が大文字や小文字に変換され、変換範囲を選択した後大文字・小文字変換キーを押して変換するか、文字が入力されてから大文字・小文字変換キーを繰り返し打つと、カーソルより前に入力された単語や文章全体が変換することを特徴とする多言語文字入力装置。
【請求項１８】
請求項１において、前記キーボード部には始め括弧と終わり括弧機能を統合した統合括弧キーを含み、前記統合括弧キーを１回押すと始め括弧が入力され、前記統合括弧キーを再び１回押すと対称を成す終わり括弧が入力されることを特徴とする多言語文字入力装置。
【請求項１９】
請求項１８において、 前記統合括弧キーを繰り返し打つと、同じ始め括弧が連続して入力され、その後前記統合括弧キーを１回押す度、始め括弧に相応する終わり括弧が逆順に入力されることを特徴とする多言語文字入力装置。
【請求項２０】
請求項１８において、前記統合括弧キーは１つのキーで構成されたり、複数の領域に区切られて、区切られた各領域にそれぞれ異なる括弧記号が割り当てられていることを特徴とする多言語文字入力装置。
【請求項２１】
請求項２０において、前記統合括弧キーを長押しすると多様な括弧記号が含まれた括弧リストが表示部に表示され、括弧記号を選択すると始め括弧記号が順に入力されたり、 前記統合括弧キーを繰り返し打つと、同じ始め括弧が連続して入力され、その後前記統合括弧キーを１回押す度、始め括弧に相応する終わり括弧が逆順に入力されることを特徴とする多言語文字入力装置。
【請求項２２】
請求項２１において、前記括弧リストに含まれている括弧記号を、マウスでクリックしたり手又は電子機器用ペンでタッチして前記括弧リストの外に移動してから、クリック又はタッチを解除すれば前記括弧記号の始め括弧記号と終わり括弧記号が同時に完成され前記表示部に入力されることのできることを特徴とする多言語文字入力装置。
【請求項２３】
請求項１において、前記キーボード部には統合記号キーがあり、前記統合記号キーを押すと前記表示部に記号リストとそれに関連する多数の記号が並べられた記号画面が表示され、そこから記号を選択して入力できることを特徴とする多言語文字入力装置。
【請求項２４】
請求項１において、前記キーボード部には統合通貨キーが含まれており、前記統合通貨キーは言語変換キーと連動し、言語変換が実行さたらその言語に関連する通貨記号が表出されることを特徴とする多言語文字入力装置。
【請求項２５】
請求項２４において、前記統合通貨キーを長押ししたり繰り返し打つと、前記表示部に各国の通貨記号が表示され、そこから通貨記号を選択して入力できることを特徴とする多言語文字入力装置。
【請求項２６】
請求項１において、前記キーボード部は、文字を入力してから翻訳される範囲を選択して他の言語に翻訳する翻訳キーを含むことを特徴とする多言語文字入力装置。
【請求項２７】
請求項１において、前記キーボード部にはキーボタン部に円方角（○、□、△）キーを配置し、前記円方角キーのうちいずれか１つを押すとデータリストとデータが表示され、前記データを直接選択して入力したり又はデータに付された番号を入力してデータを入力することを特徴とする多言語文字入力装置。
【請求項２８】
請求項２７において、前記円方角キーを利用してデータリストにデータ名とデータを登録したり削除することができ、データは保存部に保存されているものを取り込んで登録することも、ユーザーが直接入力して登録することもできることを特徴とする多言語文字入力装置。
【請求項２９】
請求項２８において、前記データ名が複数である場合、前記円方角キーを１回ずつ押す度データが順次に現れることを特徴とする多言語文字入力装置。
【請求項３０】
請求項２７において、前記３つの円方角キーのうち２つ又は３つのキーを同時に押すことで、データを登録したり機能を連動させたりすることのできることを特徴とする多言語文字入力装置。
【請求項３１】
請求項１において、前記キーボード部には繁体字・簡体字変換キーが含まれ、中国語文字が入力された後、カーソル前の文字又は入力された文字全体が、前記繁体字・簡体字変換キーによって、簡体字は繁体字に、繁体字は簡体字に変換されることを特徴とする多言語文字入力装置。
【請求項３２】
請求項３１において、中国語を入力している間、繁体字・簡体字変換キーによって転換されたフォントがそのまま維持されることを特徴とする多言語文字入力装置。
【請求項３３】
請求項１において、前記キーボード部の各キーに予め第２のデータや機能を設定し、前記キーを長押しすると第２のデータ又は機能が実行されることを特徴とする多言語文字入力装置。
【請求項３４】
請求項１において、前記キーボードでは、言語変換をすることなく１つの言語が固定されていたり、又は２つの言語が固定されて相互変換されることを特徴とする多言語文字入力装置。
【発明の詳細な説明】
【技術分野】
【０００１】
本発明は多言語文字入力装置に関し、より詳しくは、ソフトウェア的に各言語の音素が全て表出されるようにキーボードを変換し各言語の文字を簡単かつ効率よく入力できる文字入力装置に関する。
【背景技術】
【０００２】
従来一般的に使われている印刷文字入力装置はキーボードに１つまたは２つの言語が固定印刷されているため、キーボードに印刷されていない言語を入力することは難しい。また、既存のキーボードでは各言語の基本文字と変形文字をキーボード上に全て表示することができないことが多く、各言語の文字を完全に入力するためにはキーボード上に表示されていない基本文字、変形文字、特殊文字はＳｈｉｆｔキーやＡｌｔキー等の入力切替ファンクションキーを使って入力しなければならないため、入力の流れが途切れ、うち間違いの原因になり入力の速度と効率が落ちるという問題点がある。
【０００３】
固定印刷式のキーボードの他、電気式ディスプレイでボタンに表示される音素を変換して多言語を入力できる技術が韓国実用新案登第２０−０２９８２３４号及び第２０−０４４８９２４号に開示されている。また、ソフトウェア的にタッチスクリーンにキーボードが生成されタッチ式に文字が入力されるスマート機器が商用化されている。
【０００４】
しかし、多くの場合、キーボード配列が図１のようにアルファベット順や音素の特性と関連性がなく、規則性もない既存の手動式タイプライターのQWERTY配列を慣行的に適用しており、キーの数が１０１〜１０６個に限られており、世界の全ての言語文字を表出するには限界があった。
【０００５】
ローマ字で表記する言語の音素は表１のようにアルファベット26文字に変形文字を追加すると２６〜４６文字になり、キリル文字後は、表２のように３０〜４２文字であり、表３はその他の言語であり２４〜７６文字まで様々である。
【０００６】
図１を参照すると既存の文字ボタン部（Ｅ）はアルファベット26文字のキーと符号用キー７つ等３３個のキーがあり、各国の言語文字を表現するには、キーの数が足りないことが分かる。
【０００７】
従って手動タイプライター時代のキーボード配列をソフトウェア的に実装できるデジタル時代に適合させるために、キーボードの配列を見直して拡張性を提供する必要がある。
【０００８】
ローマ字で表記する言語
【表１】
2019530101.tif 000003
【０００９】
キリル文字で表記する言語
【表２】
2019530101.tif 000004
【００１０】
その他の言語
【表３】
2019530101.tif 000005
【発明の概要】
【発明が解決しようとする課題】
【００１１】
前述の問題点を解決するために本発明はソフトウェア的に規則性と拡張性を与えて全世界のあらゆる言語を簡単かつ効率よく入力できる多言語文字入力装置を提供する。
【課題を解決するための手段】
【００１２】
前述の技術的課題を解決するための本発明に基づく多言語文字入力装置は、ソフトウェア的に選択された国の文字音素に変換してキーに表出し、表出された文字音素が選択されて入力されるキーボード部；入力された文字を画面に出力する表示部；文字音素、データリスト及びプログラムが保存されている保存部及び前述のキーボード部、表示部及び保存部を制御する制御部を含み、前述のキーボード部は、上段に配置された数字と記号を表出する数字/記号キー部；前述の数字/記号キー部の次に配置されて機能、文字又は設定された機能を表出し、複数のキーが追加されることのできるＦキー部；前述のＦキー部の次に各言語の基本音素を表出する文字キー部及び前述の文字キー部の中に変形音素又は設定された記号を表出することのできる複数の追加キーを含み、言語変換時に前述の文字キー部の音素数を超える言語は前述のＦキー部と複数の追加キーに配置し、当該文字音素を全て表出して各言語の文字を１回のキー操作で入力できることを特徴とする。
【発明の効果】
【００１３】
本発明は１つのキーボード上に各国の言語別に基本文字と変形文字を全て表出できるようにして、既存のＳｈｉｆｔキーやＡｌｔキー等を使い入力切替をすることなく、各言語の文字を迅速かつ完全に入力できる。
【図面の簡単な説明】
【００１４】
【図１】一般的に使われている既存のキーボードの一例である。
【図２】本発明の一実施例における文字入力装置のブロック構成図である。
【図３ａ】本発明の一実施例におけるキーボードを示すものである。
【図３ｂ】本発明の一実施例におけるキーボードを示すものである。
【図４ａ】本発明の一実施例におけるハングルバージョンのキーボードを示すものである。
【図４ｂ】本発明の一実施例における英語バージョンのキーボードを示すものである。
【図４ｃ】本発明の一実施例におけるハングル−英語バージョンのキーボードを示すものである。
【図５】本発明の一実施例における言語変換キーと言語リスト画面を示すものである。
【図６ａ】本発明の一実施例に基づき、Ｆキーの設定画面でＦ＋αキーを押す回数と回数に応じてＦキーを設定する例を示すものである。
【図６ｂ】本発明の一実施例に基づきＦ＋αキーを押す回数によってＦキーが活性化される例を示すものである。
【図７ａ】本発明の一実施例に基づきＵキー部設定画面を示すものである。
【図７ｂ】本発明の一実施例に基づき数字/記号キー部において数字と記号を入力する方法を示すものである。
【図７ｃ】本発明の一実施例に基づき数字/記号キー部において数字と記号を入力する方法を示すものである。
【図８】本発明の一実施例におけるハングル（訓民正音）バージョンのキーボードを示すものである。
【図９ａ】本発明の一実施例におけるローマ字で表記する言語を使う各国のキーボードの図面である。
【図９ｂ】本発明の一実施例におけるローマ字で表記する言語を使う各国のキーボードの図面である。
【図９ｃ】本発明の一実施例におけるローマ字で表記する言語を使う各国のキーボードの図面である。
【図９ｄ】本発明の一実施例におけるローマ字で表記する言語を使う各国のキーボードの図面である。
【図１０ａ】本発明の一実施例におけるローマ字で表記する言語以外の各国のキーボードの図面である。
【図１０ｂ】本発明の一実施例におけるローマ字で表記する言語以外の各国のキーボードの図面である。
【図１１】本発明の一実施例におけるキーボードで大文字・小文字変換キーを使う例を示すものである。
【図１２ａ】本発明の一実施例に基づきキーボードで第１統合括弧キーを押して括弧記号を入力する例を示すものである。
【図１２ｂ】本発明の一実施例に基づきキーボードで第１統合括弧キーを押して括弧記号を入力する例を示すものである。
【図１２ｃ】本発明の一実施例に基づきキーボードで第２統合括弧キーを押して括弧記号を入力する例を示すものである。
【図１２ｄ】本発明の一実施例に基づきキーボードで第２統合括弧キーを押して括弧記号を入力する例を示すものである。
【図１３ａ】本発明の一実施例に基づき第１統合括弧キー又は第２統合括弧キーで多様な括弧記号を入力する方法を示す図面である。
【図１３ｂ】本発明の一実施例に基づき第１統合括弧キー又は第２統合括弧キーで多様な括弧記号を入力する方法を示す図面である。
【図１４ａ】本発明の一実施例に基づき第１統合括弧キー又は第２統合括弧キーで多様な括弧記号を連続して入力する方法を示す図面である。
【図１４ｂ】本発明の一実施例に基づき第１統合括弧キー又は第２統合括弧キーで多様な括弧記号を連続して入力する方法を示す図面である。
【図１５】本発明の一実施例におけるキーボードで統合記号キーを押して記号画面が表出された例を示すものである。
【図１６】本発明の一実施例におけるキーボードで通貨記号画面を示すものである。
【図１７ａ】本発明の一実施例における翻訳キー設定画面と翻訳キーを押して翻訳が完成されることを示すものである。
【図１７ｂ】本発明の一実施例における翻訳キー設定画面と翻訳キーを押して翻訳が完成されることを示すものである。
【図１８ａ】本発明の一実施例におけるキーボードで円方角（○□△）キーのうち円（○）キーにデータを登録したり削除することのできるデータ画面を示すものである。
【図１８ｂ】本発明の一実施例におけるキーボードで円方角（○□△）キーのうち方（□）キーを押したときデータ画面が現れることを示すものである。
【図１８ｃ】本発明の一実施例におけるキーボードで円方角（○□△）キーのうち円（○）キーと方（□）キーを一緒に押したときデータ画面が現れることを示すものである。
【図１９】本発明の一実施例におけるキーボードで中国語を入力するに当たり、繁体字・簡体字変換キーを示すものである。
【図２０】本発明の一実施例におけるキーボードで事前設定を行う例を示すものである。
【発明を実施するための形態】
【００１５】
以下に添付図面及び添付図面に記載された内容を参照しながら本発明の実施例を詳しく説明する。
【実施例】
【００１６】
図２は本発明に基づく多言語文字入力装置のブロック構成図であり、ソフトウェア的に選択された言語の文字音素に変換してキーに表出し、表出された文字音素が選択されて入力されるキーボード部（１０）、入力された文字を画面に出力する表示部（２０）、プログラムとデータを保存した保存部（３０）及び前述のキーボード部、保存部及び表示部を制御する制御部（４０）を含む。
【００１７】
本発明においてソフトウェア的というのは各言語の文字音素をキーボードの個別キーに対応させて表出できるようにプログラムされ変換キーの操作によって制御部の命令で対応するキーに表出したり、リストや機能を登録又は削除等編集できる事前設定機能を意味する。
【００１８】
図３ａ及び図３ｂは本発明に基づくキーボード部（１０）を示すものであり図１の左側部（Ａ）に当る。キーボード部は数字/記号キー部（１１０）、Ｆキー部（１２０）、Ｕキー部（１２３）、文字キー部（１３０）、ファンクションキー部（１４０）を含み、文字キー部（１３０）には追加キー部（１３１）が含まれることが可能である。
【００１９】
本発明のキーはタッチスクリーン上に区切られた領域又はＬＣＤ、ＬＥＤ、ＯＬＥＤ又は光ファイバーを備えて文字音素を表出するボタンになり得る。
【００２０】
本発明が既存のキーボードの配列と違う特徴はＦキー部（１２０）を文字キー部（１３０）と数字/記号キー部（１１０）の間に配置し、文字キー部（１３０）に複数の追加キーが含まれている追加キー部（１３１）を配置することである。このような配置は言語によって音素の数が異なるため各言語の文字が全て表出されるようにするためにはＦキー部や追加キー部に文字や機能を追加することで各言語の音素を全て表出することができることである。
【００２１】
従って本発明によると、選択された言語の文字が前述のキーボード部に全て表出されるため既存のＳｈｉｆｔキーやＡｌｔキーのような別途のファンクションキーを押すことなく選択された言語のあらゆる文字を1回のキー操作で速やかに入力できる。本発明においてＳｈｉｆｔキー又はＡｌｔキー等のファンクションキーは文字以外に記号や機能を入力するとき使うこともできる。
【００２２】
本発明の多言語文字入力装置を「アイデアや情報を様々な形で自由に表現するための便利なキーボード」という意味のCEI（Ｃｏｎｖｅｎｉｅｎｔ  ｋｅｙｂｏａｒｄ  ｔｏ  ｅｘｐｒｅｓｓ  ａｎ  ｉｄｅａ  ａｎｄ  ｉｎｆｏｒｍａｔｉｏｎ  ｄｉｖｅｒｓｅｌｙ  ａｎｄ  ｆｒｅｅｌｙ）キーボードと称する。
【００２３】
図４ａは本発明の第１の実施例に基づくハングルバージョンのキーボード（１００）を示す図面であり、図４ｂは本発明の第２の実施例に基づく英語バージョンのキーボード（１０１）を示す図面であり、図４ｃは本発明の第３の実施例に基づくハングル−英語バージョンのキーボード（１０２）を示す図面である。
【００２４】
本発明のさらなる特徴は変換キー又はファンクションキーを事前設定することのできる機能である。図５は事前設定機能の一実施例に基づく言語変換キーと言語リスト画面を示すものである。
【００２５】
言語変換キーを０．２秒以上長押ししたり繰り返し打つと表示部（２０）に言語リスト画面（１５１）が現れて、言語リスト画面にはユーザー言語リスト（１５２）と全世界言語リスト（１５３）が含まれていることが可能である。
【００２６】
ユーザー言語リストに言語が登録されることはキーボードメーカで初期設定として登録しておいたりユーザーが直接言語を登録したり削除することができる。ユーザーが言語登録を行う方法は全世界言語リストからユーザーが使いたい言語名を選択し登録ボタン（１５４）を押してユーザー言語リストに登録することができる。またユーザー言語リストから言語名を選択し削除ボタン（１５５）を押すとユーザー言語リストから言語名を削除することができる。事前設定機能はユーザーがキーボード部に表出される言語を変換したとき全世界言語リストから一々探すことなく、すぐに言語を選択して簡単に変換することができる。
【００２７】
ユーザー言語リストにある言語名を選択するとキーボード部に当該言語の文字音素が表出される。またユーザー言語リストに登録された言語名のうち１つ以上を選択して活性化させることができる。この場合言語変換キーを１回ずつ押す度選択された言語名に当てはまる文字が順次に変換されキーボード部に表出されることができる。
【００２８】
図５を参照して説明すると、ユーザー言語リストに登録されている言語の中から韓国語、英語、中国語、ドイツ語が選択されている。この場合キーボード部に表出されている言語は韓国語であり、言語変換キーを１回押すとキーボード部には英語が表出され、言語変換キーをもう１回押すと中国語がキーボード部に表出され、言語変換キーをもう１回押すとドイツ語がキーボード部に表出され、言語変換キーをもう１回押すと再び韓国語がキーボード部に表出される。
【００２９】
図５でユーザー言語リストにある韓国語−英語を選択すると図４ｃに示すようにキーボード部にハングルと英語が一緒に表出されることが可能である。この例は既存のキーボードで韓国語と日本語を入力するときと同様に韓国語と英語２ヶ国語を変換させながら入力できるキーボードの例である。
【００３０】
本発明はＦキーや追加キーの数を増やしたり減らす事前設定機能がある。追加キー部（１３１）とＦキー部（１２０）のキーの数は全世界言語を統合的に入力するのに必要な数のキーを確保することが好ましい。本発明の一実施例では六つの追加キーと既存のＦ１〜Ｆ１２までのＦキーにＦ１３〜Ｆ１６まで４つのＦキーを追加で配置したキーボードを示す。このとき、Ｆ１〜Ｆ１２キーは本来の機能と同様であることも可能であり、Ｆ１３〜Ｆ１６までは新しい機能を追加して使うことができる。追加キーとＦキーの数は状況と用途に合わせて追加したり減らすことができ配列する位置も変更できる。
【００３１】
Ｆキー部は、Ｆ＋αキー（１２１）と複数のＦキーが含まれている。Ｆ＋αキーを押しておらず活性化されていないときは、複数のＦキーには本来設定された機能が表出される。またＦ＋αキーを押して複数のＦキーに表出される文字や機能を連続して変換させることができる。例えばＦ＋αキーを１回押すと、Ｆキーにキー部に表出される言語の変形文字、特殊文字又は記号が表出されることができ、Ｆ＋αキーを２回押すと複数のＦキーに第２の機能が表出されることができ、Ｆ＋αキーを３回押したときはＦキーにさらなる変形文字、特殊文字又は記号が表出されて入力できる。
【００３２】
前述のＦ＋αキーを０．２秒以上長押しすると表示部にＦキーの設定画面（１２２）が現れる。Ｆキーの設定画面でＦ＋αキーを押す回数を増やしたり減らすことができ、Ｆ＋αキーを押す回数によって各Ｆキーにどの文字又は機能が表出されるかを登録したり削除することができる。Ｆキーの設定画面で各キーに登録する位置を選択した後、保存部に保存されているデータを呼び出して登録したり、又はユーザーがデータを直接入力できる。
【００３３】
図６（ａ）は本発明の一実施例に基づき、Ｆキーの設定画面でＦ＋αキーを押す回数と回数に応じてＦキーを設定する例を示すものである。
【００３４】
また、Ｆキー部に複数のＦキーを追加することができる。このとき、追加されたFキーには文字や機能が追加されることができる。例えば、追加されたＦキーを言語翻訳、言語辞書、写真撮影、動画撮影等ユーザーが頻繁に使う機能のショートカットキーとして使うことができる。又は、追加されたＦキーを、色々な記号、ユーザーが登録した常套句、顔文字、スタンプ、絵文字、e-文字、キャラクター、写真、メモ等と直接リンクさせることもできる。又はユーザーフォルダを作ってユーザーの個人的なファイルを整理して保存する等、ユーザーが必要な機能に連動させて使うこともできる。
【００３５】
また、Ｆキーの設定画面でＦ＋αキーを押す順番を指定するとその順番通りにＦキー部が活性化されて表出され、Ｆ＋αキーを押す順番が指定されていないＦキー部は非活性化されて表出されない。
【００３６】
図６（ｂ）は本発明の一実施例に基づきＦ＋αキーを押す回数によってFキーが活性化される例を示すものである。もしユーザーが図６（ｂ）のようにＦ＋αキーを押す回数を第１行に０、第３行に２、第４行に１を入力すれば、Ｆ＋αキーを押していないときは第１行のＦキーがこのＦキーに表出され本来のファンクションキーとして作動し、Ｆ＋αキーを１回押すと第４行のＦキーが活性化されFキーに表出され、Ｆ＋αキーを２回押すと第３行のFキーが活性化されＦキーに表出される方式である。ここでＦ＋αキーの第２行には数字が入力されなかったため非活性化されてＦ＋αキーを連続して押してＦキーを変換させるときＦキー上に表出されなくなる。
【００３７】
Ｆ＋αキーを必要に応じて何回も連続して押してＦキー部に表出される文字や機能を何度も変換しながら使うことができるためユーザーは１つのキーボードで多様な文字を入力することができ多様な機能を使うことができる。従って本発明のキーボードを各ユーザーの必要に応じて最適化したユーザー指向のキーボードとして活用することができる。
【００３８】
また、図３に示す複数の追加キー部（１３１）には当該言語の基本文字、変形文字又は特殊文字を優先して配置することができる。もしこのような文字を配置しても追加キーが残る場合は、文書作成に必要な文字や記号、符号、絵、写真又はファンクションキーのように文字を入力するとき必要な事項を配置することができる。
【００３９】
また、前述の複数の追加キーに、「全体選択」、「コピー」、「保存」、「貼り付け」、「切り取り」、「元に戻す」の編集機能のうちいずれか１つを配置してＣｔｒｌキーを押すことなく前述の追加キーを押すと編集機能を実行するようにすることができる。例えば、現在多くの人々がキーボード上で「全体選択」、「コピー」、「保存」、「貼り付け」、「切り取り」、「元に戻す」等の編集機能をＣｔｒｌキーを利用してショートカットキーとして使っている。ＣｔｒｌキーとＡキーを共に押すと文書編集で全体選択機能が実行され、Ｃｔｒｌキー＋Cはコピー、Ｃｔｒｌキー＋Sは保存する、Ｃｔｒｌキー＋Vは貼り付け、Ｃｔｒｌキー＋Xは切り取り、Ｃｔｒｌキー＋Zは元に戻す機能を遂行するようになる。
【００４０】
本発明においては前述の各追加キーに複数の編集機能のうちいずれか１つを設定してＣｔｒｌキーを押さずに追加キーだけ押しても文書編集に必要な機能がすぐ実行されるようにすることができる。図４ｂには、本発明の一実施例に基づき追加キーに編集機能を設定していることが示されている。例えば、追加キーＣｔｒｌ＋ａ（１３２）は全体選択機能、追加キーＣｔｒｌ＋C（１３３）はコピー機能、追加キーＣｔｒｌ＋S（１３４）は保存機能、追加キーＣｔｒｌ＋V（１３５）は貼り付け機能、追加キーＣｔｒｌ＋X（１３６）は切り取り機能、追加キーＣｔｒｌ＋Z（１３７）は元に戻す機能をすぐ実行するようにすることができる。Ｃｔｒｌキーを押すことなく編集機能がすぐ実行されるようにすることは前述で触れた追加キーだけでなく必要に応じてキーボード部の任意のキーに配置することができる。
【００４１】
また、編集機能を遂行する追加キー及び任意のキーを０．２秒以上長押しするとさらなる機能が実行されることもある。
【００４２】
図４ａのようにＣｔｒｌキーを押すことなく編集機能がすぐ実行されるキーに文字又は記号が共に配置された場合、キーを１回押すと文字又は記号が入力されキーを０．２秒以上押すとＣｔｒｌキーを押すことなく編集機能がすぐ実行されることができる。
【００４３】
本発明のさらなる特徴の１つは、固定された文字キーやファンクションキー以外にユーザー定義のキー（１２３）（以下、「Ｕキー」とする）を設定することである。図３に示すようにＦキー部にある追加されたＦキーと数字/記号キー部にあるキーのうち数字が設定されていない複数のキーをＵキー部（１２３）とし、Ｕキー部にユーザーが使いたいデータを登録して使うことができ、データは変更できることを特徴とする。ここでデータとは文字、記号、符号、写真、常套句、修飾、顔文字、スタンプ、絵文字、キャラクター等を含み、ユーザーがキーボードを使って入力しようとする全てのものを指すものとする。
【００４４】
図７ａは本発明の一実施例に基づきＵキー部設定画面を示すものである。図７ａを参照するとＦキー部の追加されたＦキーはＦ１３〜Ｆ１６の４つのキーが追加されており、数字/記号キー部のうち数字が設定されていない３つの（−,・）、（＋,＝）、（÷,×）キーが配置されている。ユーザーがＵキー部に記号を固定して使うよりは各ユーザーの専門的な職業やや機能に合わせて頻繁に使うデータを予めセッティングしておき必要なとき使えるようにし、ユーザーが必要に応じて色々変更できる。従って、ユーザー中心の最適化されたキーボードとして活用することができる。
【００４５】
Ｕキー部にデータを登録する方法は、Ｕキー部の任意のキーのうち２つを同時に押すと表示部にＵキー部設定画面（１２４）が現れて、Ｕキー部設定画面で各キーに複数のデータを登録したり削除することができる。先ずＵキー部設定画面で各キーに登録する位置を選択した後、保存部に保存されているデータを呼び出して登録したりユーザーがデータを直接入力することも可能である。各キーに登録するデータの数は１０〜２０程度が好ましいがさらに追加することができる。
【００４６】
また、Ｕキー部にデータが表出されるようにする方法は、Ｕキー部に含まれるキーのうち、いずれか１つのキーを０．２秒以上長押しすると、キーに登録された複数のデータが所定の順番に沿って所定の時間間隔で変換される方式でキーに現れ、ユーザーがキーに使いたいデータが現れたとき指を離すと、そのデータがキーに表出されることを特徴とする。ここで所定の時間は好ましくは０．３秒から１秒以内が好ましい。
【００４７】
前述のＵキー部において、数字/記号キー部のキーうち数字が設定されていない複数のキーは、Ｆ＋αキーが活性化されているときも、Ｕキー部のキーとして機能することができる。また数字/記号キー部のキーうち数字が設定されていない複数のキーには、各キーに１つのデータが登録されることもあれば、２つのデータが上下に登録されることもある。１つのキーの上下に２つのデータが設定された場合は、上に設定されたデータはＳｈｉｆｔキーを押して入力できる。Ｕキーに予め登録されるデータは、全てのキーに同じデータが登録されることもあれば、場合によってはユーザーがより多くのデータを登録したり、各キーにそれぞれ異なるデータを登録することもあり得る。
【００４８】
本発明の一実施例として、数字/記号キー部で０〜９まで数字と記号が上下に配置された１０個の数字/記号キーは任意のキーを０．２秒以上押すと数字/記号キー部全体を対象に数字が記号に切り替わったり記号が数字に切り替わることが可能である。このようにすれば本発明の趣旨通りＳｈｉｆｔキーやＡｌｔキー等のファンクションキーを押さずに数字や記号を1回のキー操作で直接入力できる。
【００４９】
図７（ｂ）の（１）に示すように、数字/記号キー部のキーについて、０〜９までの数字は下側に配置され、記号は上側に配置されているため、数字は、キーを押すだけで直接入力することができ、記号は入力切替キーであるＳｈｉｆｔキーを押して入力することができる。１０個の数字/記号キーのうち、任意のキーを０．２秒以上長押しすると数字と記号の上下の配置が入れ替わり、図７ｂの（２）に示すように、上側に数字が配置され、下側に記号が配置されるようになる。
そうすれば記号をＳｈｉｆｔキーやＡｌｔキー等のファンクションキーを押さずに１回のキー操作で直接入力できるようになる。
【００５０】
言語によって数字/記号キー部に文字を配置する場合にも同じく数字/記号キー部を０．２秒以上押して数字と記号又は文字の位置を変えると当該数字や記号又は文字を入力するときＳｈｉｆｔキーやＡｌｔキー等のファンクションキーを押さずに直接入力できるようになる。
【００５１】
数字/記号キー部に数字や記号又は文字が固定的に印刷されている場合にも同じく適用することができる。例えば、キーボード部上側に記号又は文字、下側に数字が固定的に印刷されていても１０個の数字/記号キーのうち任意のキーを０．２秒以上長押しすると数字と記号の位置が内部的に変換されＳｈｉｆｔキー等のファンクションキーを押さずに記号を直接入力できる。再び数字/記号キーのうち任意のキーを０．２秒以上長押しすると数字を直接入力できる。
【００５２】
また、数字/記号キー部に数字/記号変換キー（１２５）を別途配置して、数字や記号又は文字を入力するときＳｈｉｆｔキーやＡｌｔキー等のファンクションキーを押さずに直接入力できる。図７ｃの（１）のように数字/記号変換キーを押していないときは１０個の数字/記号キーには上側には記号又は文字、下側には数字が並べられ数字は直接入力することができ記号又は文字はＳｈｉｆｔキーを一緒に押して入力するようになる。
【００５３】
図７ｃの（２）のように数字/記号変換キーを１回押すと１０個の数字/記号キーに数字と記号又は文字の位置が変わり上側には数字、下側には記号又は文字が並べられ記号又は文字をＳｈｉｆｔキーやＡｌｔキー等のファンクションキーを押さずに直接入力できる。
【００５４】
本発明の一実施例におけるハングルバージョンのキーボードには、
2019530101.tif 000006
【００５５】
好ましくはキーボードの文字入力部に、
2019530101.tif 000007
【００５６】
図８は本発明に基づくハングル（訓民正音）バージョンのキーボード（１０３）を図示したことであり、
2019530101.tif 000008
Ｆ＋αキーを押してＦキー部を連続して変換させて多様なハングルの古語が出るようにしてあらゆるハングルを効率よく入力できる。
【００５７】
現在どの国の言語も全世界のあらゆる言語とあらゆる音を１００%そのまま表現できる言語がない。
2019530101.tif 000009
そうすれば「ハングル」と「韓国語」は全世界あらゆる言語のハブのような役割及び全世界の公用語としての役割果たせると思われる。
【００５８】
また、本発明の一実施例におけるキーボードで英語をはじめとしたローマ字で表記する言語を入力するに当たり、キーボード部に言語のアルファベット子音と母音をQWERTY配列に配置したり、言語のアルファベット子音と母音を順次に配置したり、ユーザーが使いたいように配置する等どのような配置でも色々適用することができる。
【００５９】
本発明の一実施例におけるキーボードで英語を含むローマ字で表記する言語を入力するに当たり、言語のアルファベットの子音と母音を順次に配列し、QWERTY配列に配置するときよりユーザーが文字の位置を容易に認知して効率よく入力することを好ましいとし、提案する。
【００６０】
図９ａ乃至図９ｄは本発明の一実施例におけるローマ字で表記する言語を使う各国のキーボードの図面である。
【００６１】
図９ａはフランス語バージョンのキーボードを示すものである。（１）フランス語バージョン１のキーボードはＦキー部に変形文字を配置し、追加キー部には各編集機能を遂行できるキーを配置したものである。（２）フランス語バージョン２のキーボードは追加キー部に変形文字を一部配置し、Ｆキー部に残りの変形文字及び記号を配置した一例である。この２つのバージョンのキーボードは、いずれも、フランス語の各文字を入力するときＳｈｉｆｔキーやＡｌｔキー等のファンクションキーを使うことなく、各キーを一度押すことであらゆるフランス語文字を効率よく入力できる。
【００６２】
（１）フランス語バージョン１で編集機能を遂行するためには追加キーを１回押すと編集機能が遂行され、（２）フランス語バージョン２では編集機能を遂行できる追加ボタン部に文字が配置されているため追加キーを１回押すと文字や記号が入力され追加キーを０．２秒以上長押しすると編集機能が遂行されることが可能になる。
【００６３】
図９ｂは（１）ポルトガル語バージョン１と（２）ポルトガル語バージョン２のキーボードを示す一例であり、図９ｃは（１）ドイツ語バージョン１と（２）ドイツ語バージョン２のキーボードを示す一例で、図９ｄは（１）スペイン語バージョン１と（２）スペイン語バージョン２のキーボードを示すものである。各バージョンでの入力は、（１）フランス語バージョン１と（２）フランス語バージョン２キーボードでの入力と同様に行われる。
【００６４】
ある国の言語を構成する文字数が多く、文字キー部とＦキー部と追加キー部のキーに配置するだけでは、全ての文字を配置できず文字があまった場合は、Ｆ＋αキーを押してＦキー部を変換しながら残りの文字を配置ことができる。ユーザーは使用頻度の高い文字をＦキー部のデフォルトページからすぐ見えるように配置し、使用頻度の低い文字はＦ＋αキーを押したとき表出される、次のページに配置することができる。
【００６５】
本発明の一実施例におけるキーボードではローマ字で表記する言語以外にキリル文字、ギリシャ文字、日本語の文字、アラブ文字等その他の言語を入力するに当たり、文字キー部に当該言語を構成する文字を、従来の順番に配置したり、当該言語を構成する文字のアルファベット順に配置したり、ユーザーの好みによって既存のQWERTY配列にことができる。
【００６６】
図１０ａ乃至図１０ｂは本発明の一実施例におけるキリル文字、ギリシャ文字、日本語文字等ローマ字で表記する言語以外のその他の言語のキーボードの図面である。
【００６７】
図１０ａには（１）ロシア語バージョンキーボードと（２）ギリシャ語バージョンキーボードが図示されており、図１０ｂは（１）中国語ピンインバージョン（本土）キーボードと（２）中国語ピンインバージョン（台湾）キーボード及び（３）日本語バージョンキーボードの例である。
【００６８】
キーボードで文字を入力する際、キーボードに慣れているユーザーは、両手をキーボードの文字入力部第２行におき、これを基本位置にして、上下左右に少しずつ移動しながら指を動かして文字を入力するようになる。また各キーボードでの文字の配置を熟知しているユーザーは、キーボードは見ずにモニターを見ながら入力することが多い。
【００６９】
ピリオド「．」とコンマ「，」は各言語の文字を入力して文章を構成するとき必要になるが、既存のキーボードでピリオド「．」とコンマ「，」は右側の下段に配置されているため、これを入力するためには右手が基本位置である文字キー部の第２行から離れてキーボードの下の方に移動し、ピリオド「．」やコンマ「，」を入力してから再び第２行に戻り入力を続ける流れになる。こうする中で、多くのユーザーは、視線を一度モニターからキーボードに移して、キーボードを見てから再びモニターを見るようになるが、こうすることで入力動作の流れが途切れる。従ってピリオド「．」とコンマ「，」を第１行の中央キーに配置することで視線をキーボードに移すことなくモニターに視線を置いたままにし、手の位置も第２行から離れたところに移動させることなく、ピリオド「．」やコンマ「，」を入力できるようになるため、全体的に文字入力の流れが途切れることなく、効率よくスムーズに文字を入力できるメリットがある。
【００７０】
ピリオド「．」とコンマ「，」を文字キー部第１行の中央の上下にそれぞれ配置したり、左右に並べて配置したり、１つのキーに上下又は左右に配置したり、１つのキーにピリオド「．」とコンマ「，」のうちいずれか１つだけを配置することができる。図４ａで本発明の一実施例におけるキーボードでピリオド「．」とコンマ「，」をキーボード文字入力部第１行の中央キー（１６０、１６１）に配置一例を見ることができる。
【００７１】
本発明においては言語の体系上大文字と小文字がある場合大文字と小文字の変換は大文字・小文字変換キー（１７０）を使うことができる。ユーザーは基本的に小文字で入力をしていて大文字に変換しなければならない文字だけ大文字・小文字変換キーを押して変換すればよい。
【００７２】
大文字・小文字を変換する既存の方法として、Ｃａｐｓ Ｌｏｃｋキーを押す方法がある。小文字で入力をしていてＣａｐｓ Ｌｏｃｋキーを押してキーボードに配置された文字を全て大文字に変換した後大文字を入力する。再び小文字を入力するためにはＣａｐｓ Ｌｏｃｋキーを押してキーボードに配置された文字を小文字に変換をさせた後入力を続ける。
【００７３】
大文字・小文字を入力するもう一つの既存の方法として、Ｓｈｉｆｔキーを利用する方法がある。小文字で入力をしている途中でＳｈｉｆｔキーを押しながら小文字のキーを押すと大文字が入力され、大文字で入力をしている途中でＳｈｉｆｔキーを押しながら大文字のキーを押すと小文字で入力がされる。このときＳｈｉｆｔキーを文字と同時に押さなければならないため、指がＳｈｉｆｔキーから一瞬離れると大文字や小文字が正しく入力されないため、これを修正して入力し直さなければならず、文字入力の流れが途切れる。
【００７４】
本発明においては、小文字で入力された文字や単語の後ろにカーソルがある状態で大文字・小文字変換キーを１回押すと入力された文字や単語が大文字に変換される。このとき空白が入力される前に入力された文字や単語は影響を受けず小文字のままである。また大文字で入力されたり変換された文字や単語の後ろにカーソルがある状態で大文字・小文字変換キーを１回押すと文字や単語が小文字に変換され、このときも同じく空白が入力された後に入力された文字や単語にだけ影響を受ける。
【００７５】
小文字で入力した内容について文字、単語、段落、ページ等変換範囲を選択し大文字・小文字変換キーを押すと空白に関係なく変換範囲を全て大文字に変換することができ、大文字で入力されたり変換された内容について文字、単語、段落、ページ等変換範囲を選択し大文字・小文字変換キーを押すと空白に関係なく全て小文字に変換される。
【００７６】
大文字・小文字変換キーを繰り返し打つとカーソルが置かれている行でカーソル位置より前に入力された単語や文章全体が大文字は小文字で、小文字は大文字に変換されることができることを特徴とする。
【００７７】
大文字・小文字変換キー（１７０）を活用すれば大文字と小文字を変換するためにＣａｐｓ ＬｏｃｋキーやＳｈｉｆｔキーを押す必要がなく文字キー部の文字を全て大文字に一度変えてから再び全て小文字に戻す必要がない。文字を入力していく中で必要な文字や単語を、小文字を大文字に又は大文字を小文字にすぐ変えることができるため文字を入力する流れが途切れることなくとても効率よく文字を入力できる。
【００７８】
図１１（ａ）と図１１（ｂ）は本発明の一実施例におけるキーボードで大文字・小文字変換キーを使う例を示すものである。
【００７９】
図１１の（ａ）を参照すると、「ｋｏｒｅａ」という単語を入力した後単語の後ろにカーソルがある状態で大文字・小文字変換キーを１回押すと大文字「ＫＯＲＥＡ」に変換される。「ＡＰＰＬＥ」という単語を入力した後この単語の後ろにカーソルがある状態で大文字・小文字変換キーを１回押すと小文字「ａｐｐｌｅ」に変換される。
【００８０】
図１１の（ｂ）に示すように、「ｈａｖｅ ａ ｎｉｃｅ ｄａｙ」という文章の後ろにカーソルがある状態で大文字・小文字変換キーを繰り返し打つと「ＨＡＶＥ Ａ ＮＩＣＥ ＤＡＹ」のように、カーソルが置かれている行の、カーソル位置より前に入力された単語や文章全体が大文字に変換される。大文字で入力された単語や文章などがある場合、大文字・小文字変換キーを繰り返し打つとカーソルが置かれている行でカーソル位置より前に入力された単語や文章全体が小文字に変換されることが可能である。
【００８１】
既存のＣａｐｓ Ｌｏｃｋキーを利用する方法と本発明の一実施例における大文字・小文字変換キーを利用して大文字・小文字を変換させる方法を比較してみる。
【００８２】
例えば「Ｔｈｅ Ｎｅｗ Ｓｃｉｅｎｃｅ ｏｆ Ｅｘｅｒｃｉｓｅ」という文言を入力するときＣａｐｓ Ｌｏｃｋキーを利用する方法は大文字と小文字が変る度Ｃａｐｓ Ｌｏｃｋキーを押す必要がある。例えばＣａｐｓ Ｌｏｃｋキーを１回押して大文字入力モードに転換してから「Ｔ」を入力し再びＣａｐｓ Ｌｏｃｋキーを１回押して小文字入力モードに転換して「ｈｅ」を入力する。再びＣａｐｓ Ｌｏｃｋキーを１回押して大文字入力モードに転換してから「Ｎ」を入力しＣａｐｓ Ｌｏｃｋキーを１回押して小文字入力モードに転換してから「ｅｗ」を入力する。このような方式で「Ｓ」、「Ｅ」を押す前と押した後Ｃａｐｓ Ｌｏｃｋキーを押す必要がある。従って上記の文言を入力するためにはＣａｐｓ Ｌｏｃｋキーを計８回押す必要がある。
【００８３】
本発明の大文字・小文字変換キーを利用する方法は、小文字入力を基本とするため先ず「ｔ」を入力し、大文字・小文字変換キーを１回押すと「Ｔ」に変換される。このときキーボード部が大文字入力モードに全て変るのではなくそのまま小文字入力モードが維持されるため別途の操作をすることなく「ｈｅ」と「ｎ」を入力する。それから大文字・小文字変換キーを１回押すと「ｎ」が「Ｎ」に変換される。このとき大文字・小文字変換キーは空白が入力された後の文字や単語に影響し、空白が入力される前の文字や単語には影響を及ぼさずこれらは小文字のままとなる。その次は「ｅｗ」と「ｓ」を押して大文字・小文字変換キーを１回押すと「ｓ」が「Ｓ」に変換される。その次は「ｃｉｅｎｃｅ ｏｆ」と「ｅ」を押して大文字・小文字変換キーを１回押して「ｅ」を「Ｅ」に変換させる。その次は「ｘｅｒｃｉｓｅ」を入力すれば入力が完了する。従って上記の文言を入力するために本発明の大文字・小文字変換キーを活用すれば計４回押すことで上記の文言を完成できる。
【００８４】
本発明の大文字・小文字変換キーを利用すれば既存のＣａｐｓ Ｌｏｃｋキーを押す方法を使った場合より、大文字・小文字を変換するためにキーを押す回数を半分に減らせるため効率のいい入力方法とすることができる。また、文字を入力していく過程の中で必要な文字だけ大文字に変えながら文字入力の流れが途切れることなく入力を続けることができる。また文字の数に関係なく文字や単語を一気にすぐ大文字に変換できるためより簡単に大文字・小文字を変換することができる。
【００８５】
本発明のさらなる特徴は色々な括弧記号を簡単に入力する統合括弧キー（１８０）である。
【００８６】
既存のキーボードでは始め括弧記号「（」と終わり括弧記号「）」が２つのキーに別途配置されており括弧記号「（）」を入力するためにはＳｈｉｆｔキーを押した状態で始め括弧記号「（」を入力しまたＳｈｉｆｔキーを押した状態で終わり括弧記号「）」をそれぞれ押す必要がある。
【００８７】
本発明においては始め括弧記号「（」と終わり括弧記号「）」及び色々な括弧記号を統合して第１統合括弧キー（１８０）に配置することでキーボード上で空間を効率よく使えるようにしてＳｈｉｆｔキーを押すことなく括弧記号を入力できるようにする。
【００８８】
第１統合括弧キー（１８０）を１回押すと始め括弧記号「（」が入力され括弧記号の中に入力しようとする文字を入力した後第１統合括弧キーを再び１回押すと終わり括弧記号「）」が入力され括弧記号が完成される。
【００８９】
図１２（ａ）は本発明の一実施例に基づきキーボードで第１統合括弧キーを押して括弧記号を入力する例を示すものである。
【００９０】
キーボードで括弧記号を連続して入力しなければならない場合には第１統合括弧キーを１回押して始め括弧記号である「（」を入力した後、第１統合括弧キーを繰り返し打つと始め括弧記号が「（（」のように連続して入力され、第１統合括弧キーを始め括弧記号を入力した回数だけ１回ずつ押すと終わり括弧記号「）」が入力され括弧記号が完成される。
【００９１】
図１２（ｂ）は本発明の一実施例に基づきキーボードで第１統合括弧キーを押して括弧記号を連続して入力する例を示すものである。
【００９２】
また、本発明においては色々な括弧記号を簡単に入力する方法で第２統合括弧キー（１８１）を使うことができる。第２統合括弧キーは「（）」、「｛｝」、「［］」、「＜＞」の４つの括弧キーで構成されており、各括弧キーを１回押すと各括弧の始め括弧記号が入力され各括弧キーを再び１回押すと終わり括弧記号が入力され括弧記号が完成される。
【００９３】
図１２（ｃ）は本発明の一実施例に基づきキーボードで第２統合括弧キーを押して括弧記号を入力する例を示すものである。４つの括弧記号ボタンは図１２（ｃ）のように上下左右に配置されることもある別の形に変形され配置されることが可能である。４つの括弧キーのうち「（）」が入力されることを例を挙げながら説明する。「（）」キーを１回押すと始め括弧記号である「（」が入力される。始め括弧記号の後に「Ｇｏｏｄ ｍｏｒｎｉｎｇ」という文字を入力した後「（）」キーを再び押すと終わり括弧記号である「）」が入力され括弧記号が完成される。第２統合括弧キーで「｛｝」、「［］」、「＜＞」を入力する方法も同じ過程で行う。
【００９４】
このようにすれば「（）」、「｛｝」、「［］」、「＜＞」を入力するためにＳｈｉｆｔキーを押すことなく２回押すだけで各括弧記号を簡単に完成することができる。
【００９５】
また、キーボードで第２統合括弧キーにおいて「（）」、「｛｝」、「［］」、「＜＞」の４つの括弧キーのうち任意の括弧キーを連続して入力しようとする場合、ユーザーが使いたい括弧キーを１回押して始め括弧記号を入力した後、括弧キーを繰り返し打つと始め括弧記号が連続して入力され括弧キーを１回ずつ押すと先ず入力された始め括弧記号の対称となる終わり括弧記号が入力され括弧記号が完成される。
【００９６】
図１２（ｄ）は本発明の一実施例に基づきキーボードで第２統合括弧キーを押して括弧記号を連続して入力する例を示すものである。
【００９７】
既存のキーボードでは「［］」、「｛｝」、「＜＞」の括弧記号がそれぞれ別々のキーに配置されている。ユーザーが「｛｝」、「＜＞」の括弧記号を入力しようとする場合にはＳｈｉｆｔキーを押した状態で当該記号が配置されたキーを同時に押さなければならない。またキーボードに印刷されていない括弧記号の場合には文字表等から入力しようとする始め括弧記号を見つけてそれを選択して入力し文字を入力した後再び文字表等から終わり括弧記号を見つけてそれを選択して入力しなければならないためこの過程で手間が掛かるという問題点があった。
【００９８】
括弧記号「（）」のように、ほとんどの括弧記号は、始め括弧記号と終わり括弧記号がペアになって入力されるため、本発明においては色々な括弧記号を第１統合括弧キー（１８０）又は第２統合括弧キー（１８１）に全て統合することができる。これは、色々な括弧記号を探しやすくしＳｈｉｆｔキーを押すことなく簡単に入力できるようにし、キーボード上の空間を効率よく使えるようにするものである。ユーザーが任意の括弧記号を入力しようとする場合、第１統合括弧キー又は第２統合括弧キーを０．２秒以上長押しすると表示部上に多様な括弧記号が並べられた括弧記号画面（１８２）が表出される。ここで第２統合括弧キーを押す動作は、「（）」のキー、「｛｝」のキー、「［］」のキー、「＜＞」キーのうちいずれか１つを０．２秒以上長押しすることで行える。以下、第２統合括弧キーを押すということは「（）」のキー、「｛｝」のキー、「［］」のキー、「＜＞」キーのうちいずれか１つを長押しすることとする 。
【００９９】
前述の括弧記号画面には多様な括弧記号が始め括弧記号と終わり括弧記号が括弧記号のペアとなり並べられることができユーザーが特定の括弧記号のペアを選択すると特定の括弧記号の始め括弧記号が入力される。このとき各括弧記号のペアに番号が付されている場合には番号を入力して括弧記号のペアの始め括弧記号を入力することもできる。
【０１００】
図１３（ａ）と図１３（ｂ）は本発明の一実施例に基づき第１統合括弧キー又は第２統合括弧キーで多様な括弧記号を入力する方法を示す図面である。
【０１０１】
図１３（ａ）はユーザーが任意の括弧記号を入力するために第１統合括弧キー又は第２統合括弧キーを０．２秒以上長押しすると多様な括弧記号が並べられた括弧記号画面が表出される例を図示したものである。例えば「《》」を押すと「《》」の始め括弧記号である「《」が入力される。ユーザーが括弧記号「《》」の中に入力しようとする内容を入力した後終わり括弧記号「》」を完成するためには第１統合括弧キー又は第２統合括弧キーを押すとされる。図１３（ｂ）は第１統合括弧キー又は第２統合括弧キーを押して終わり括弧記号「》」を完成する例を示すものである。
【０１０２】
このようにすれば、数多くの括弧記号を入力するために括弧記号ごとに始め括弧記号と終わり括弧記号を一々探す手間を省き、全ての括弧記号を入力するに当たり、第１統合括弧キー又は第２統合括弧キーを押して入力を完了することができる。
【０１０３】
本発明はユーザーが括弧記号の中にさらなる括弧記号を入力できる。先ず第１統合括弧キー又は第２統合括弧キーを０．２秒以上長押しすると表示部上に並べられた括弧記号画面が表出され、そのうちユーザーが最初に入力しようとする括弧記号のペアを１回押すとその括弧記号のペアの始め括弧記号が入力され、ユーザーが２番目に入力しようとする括弧記号のペアを１回押すとその括弧記号のペアの始め括弧記号が入力される。これと同じ方法でユーザーが任意の括弧記号のペアを１回押して始め括弧記号を入力できる。もし同じ括弧記号を連続して入力する場合には括弧記号画面に表出された括弧記号のペアを繰り返し打つ操作して始め括弧記号を連続して入力し、入力された始め括弧記号に対応する終わり括弧記号を入力しようとするときは第１統合括弧キー又は第２統合括弧キーを１回ずつ押せば後で入力した括弧記号のペアから逆順に終わり括弧記号が入力され括弧記号が完成される。
【０１０４】
図１４（ａ）と図１４（ｂ）は本発明の一実施例に基づき第１統合括弧キー又は第２統合括弧キーで多様な括弧記号を連続して入力する方法を示す図面である。
【０１０５】
また第１統合括弧キー又は第２統合括弧キーを０．２秒以上長押しして括弧記号画面が開くとユーザーは括弧記号画面で特定の括弧記号のペアをマウスで左クリックしたり手又は電子機器用のペン等でタッチしてその状態を維持したまま括弧記号画面外部の表示部に移動してからクリック又はタッチを解除すれば括弧記号のペアの始め括弧記号と終わり括弧記号が同時に完成され表示部に入力されることができる。
【０１０６】
例えば括弧記号画面で「＜＞」のペアをクリック又はタッチした状態で表示部に移動してからクリックを解除すれば表示部に「＜＞」が入力されることである。このような場合カーソルが「＜｜＞」のように始め括弧記号「＜」と終わり括弧記号「＞」の間に自動的に位置するようにしてユーザーが括弧記号「＜＞」の中に文字を直接入力できるようにすることができる。このようにすれば括弧記号画面が開いた状態でユーザーが必要な括弧記号をまとめてに表示部に移して作業を進めることができる。
【０１０７】
本発明のさらなる特徴は色々な記号を効率よく入力できる。
【０１０８】
既存の方法で多様な記号を入力するためには記号が保存されているソフトウェアプログラムを実行させたり多様な経路で文字表等にたどり着き記号を選択して入力しなければならなかった。本発明においてはキーボードに統合記号キー（１９０）があり、統合記号キーを押すと表示部に記号画面（１９１）が表出され、記号画面には記号リスト（１９２）と記号リストに基づく複数の記号が並べられおり、ユーザーが使いたい記号を選択して迅速かつ簡単に入力できる。
【０１０９】
図１５は本発明の一実施例におけるキーボードで統合記号キーを押して記号画面が表出された例を示すものである。図１５では例えば記号リストに単位記号が選択されており、それによって色々な単位が現れているためユーザーが使いたい単位をすぐ選択して入力できる。ユーザーが記号画面で記号リストを変更すればそれに基づく記号が変更されて現れるためユーザーは多様な記号を簡単に選択して入力できるようになる。このように統合記号キーを利用すれば色々な記号、特殊文字、図形、単位記号、矢印、文章符号、丸囲み文字等の記号をすぐ選択して入力できる。
【０１１０】
本発明は各国の通貨記号(通貨単位)を簡単に入力できる。本発明の一実施例におけるキーボードにおいて、キーボード部に統合通貨キー（２００）があり、言語変換キーを押して言語を選択すると、選択された言語に関連する通貨記号が統合通貨キーに現れ、ここで統合通貨キーを１回押すと通貨記号を入力できる。統合通貨キーを０．２秒以上長押ししたり繰り返し打つと、表示部に通貨記号画面（２０１）が現れて全ての通貨記号が並べられる。ユーザーは、その中からユーザーが使いたい通貨記号を選択して入力できる。
【０１１１】
図１６は本発明の一実施例におけるキーボードにおいて、通貨記号画面を示すものである。
【０１１２】
本発明はキーボード部に翻訳キー（２１０）があり、文字を入力した後単語、文章、段落、又はページ等翻訳される範囲を選択した後翻訳キーを押すと他の言語に翻訳されることができる。
【０１１３】
翻訳キーを長押ししたとき表示部に翻訳キー設定画面（２１１）が表出される。翻訳キー設定画面には現在言語、翻訳される言語、全世界言語リストが入っていることが可能である。現在言語項目には現在キーボード部に表出された言語が表示され、翻訳される言語項目には翻訳キーを押したとき翻訳される言語が表示される。ユーザーは全世界言語リストから言語名を選択して翻訳される言語項目に登録したり削除することができる。ユーザーが先ず翻訳される言語を登録しておき、その後翻訳キーを押すと現在言語から翻訳される言語に翻訳されるようになる。
【０１１４】
図１７（ａ）は本発明の一実施例における翻訳キー設定画面と翻訳キーを押して翻訳が完成されることを示すものである。
【０１１５】
本発明は文字を入力し一度に色々な国の言語に同時に翻訳することもできる。この機能は色々な国の言語を学習する人や一度に色々な国の言語に同時に翻訳する人が活用できる。翻訳キー設定画面の翻訳される言語に複数の言語名を登録しておき、その後ユーザーが文字入力してから翻訳される範囲を指定し翻訳ボタンを押すと複数の言語に翻訳されて表示されこのとき前述の翻訳される言語に登録された順番通りに翻訳がされる。図１７（ｂ）は翻訳キーを押して色々な言語に同時に翻訳することを示すものである。
【０１１６】
本発明は、キーボード部に円（○）キー（２２１）、方（□）キー（２２２）、角（△）キー（２２３）を配置することを特徴とする（以下「円方角キー」とする）。円方角キーのうち１つを押すとデータ画面（２２４）が開き、データリストとデータ名（２２５）、それに関連するデータ、又は機能（２２６）が並べられ、ユーザーが複雑な経路をたどることなくすぐ選択して入力できる。
【０１１７】
キーボードで文字を入力するとき言語を入力するための文字だけでなく専門的な表現を使うことが多くある。例えばキーボードユーザーが物理関連文書を作成する場合には物理公式を入力しなければならない場合があり、科学関連文書を作成する場合には科学公式を、数学関連文書を作成する場合には数学公式を入力する必要がる場合がある。このとき物理公式、科学公式、数学公式を一々入力することは、手間と時間が掛かることであるため、物理公式、科学公式、数学公式が１００個であれ２００個であれすでに入力されいるものの中からユーザーが入力したい公式に最も類似した公式を選択して呼び出しユーザーのニーズに合わせて修正して入力すれば入力時間短縮できる。
【０１１８】
公式はキーボードが製作された当初から登録されていることもあり、ユーザーが円方角キーに自分が使いたい公式を追加で登録したり削除することができる。
【０１１９】
又は円方角キーのうちいずれか１つに多様なデータを分野別に分類して整理したうえでデータ画面に並べることができる。例えば、円方角キーに専門的な医学用語が並べられおり医学用語を一々入力することなく選択して入力できる。又は音楽に関連する音標、記号、強弱の表示等が並べられいることも可能であり、料理に必要なレシピや科学でよく使われる周期律表が保存されておりユーザーが選択して入力できる。
【０１２０】
又は円方角キーにユーザーが指定した写真や動画が保存されていたり頻繁に使っている常套句が保存されることもあり、ユーザーが装着した記号、符号、図形等を配置することもできる。
【０１２１】
図１８ａは、本発明の一実施例におけるキーボードで円方角（○□△）キーのうち円（○）キーにデータを登録したり削除することのできるデータ画面を示すものである。円（○）キーを押すと、データ画面（２２４）が現れ、データリスト（２２５）とデータリストにある色々なデータ名の中から選択されたデータ名である数学公式に関連するデータがデータ画面に並べられている。ここでユーザーが入力したい公式を直接選択して入力する。各公式に番号が付されている場合はその番号を入力して公式を入力することができる。データリストから任意のデータ名を選択すると、データ画面に選択したデータ名に関連するデータが並べられる。
【０１２２】
円方角キーにデータを登録する方法は以下の通りである。ユーザーが円方角キーのうちいずれか１つを押すとデータ画面（２２４）が開きデータリストとデータ名及びそれに関連するデータが並べられる。ユーザーがデータ名に関連するデータを登録するときは保存部に保存されているデータを呼び出して登録することもできれば、ユーザーが直接入力して登録することができる。
【０１２３】
データリストに１つ以上のデータ名がある場合活性又は非活性を区分して登録しておくことができる。この場合、円方角キーを１回ずつ押す度データリストで活性となり登録されたデータ名とそれに基づくデータが順次に現れるようになる。
【０１２４】
図１８ｂでは方（□）キーを押したときデータ画面が現れることを示すものである。図１８ｂではデータリストで物理公式、科学公式及び周期律表が活性と登録されている。従って方（□）キーを１回押すと物理公式のデータ画面が現れて、方（□）キーをもう１回押すと科学公式のデータ画面が現れ、方（□）キーをもう１回押すとデータ画面に周期律表が現れて、方（□）キーをもう１回押すと再び物理公式が並べられたデータ画面が現れるようになる。このような方式は円キー及び角キーにおいても同様に動作する。
【０１２５】
また円方角キーの中から、「円（○）キー＋方（□）キー」、「方（□）キー＋角（△）キー」、「円（○）キー＋角（△）キー」のように２つのキーを同時に押す組み合わせや、又は「円（○）キー＋方（□）キー＋角（△）キー」のように３つのキーを同時に押す組み合わせに、ユーザーが使いたいデータを登録したり、機能をリンクさせて使うことができる。例えば、図１８ｃに示すように「円（○）キー＋方（□）キー」の２つのキーを同時に押すと、複数の動画がまとまっているデータ画面が現れることが可能である。
【０１２６】
又は、例えば円（○）キー＋角（△）キーの３つのボタンを同時に押したとき音楽ファイルが集まっているデータ画面が現れることが可能である。そうすればユーザーは色々な経路をたどることなくすぐ音楽ファイルを実行させることができる。又は方（□）キー＋角（△）キーを同時に押すと写真が並べられたデータ画面が現れすぐ写真を使うことができる。
【０１２７】
このように円方角キーを活用すれば、ユーザーそれぞれのニーズに合わせて最適化されたユーザー指向のキーボードを構成して使うことができる。
【０１２８】
本発明は中国語を入力するとき、図１０ｂの（１）と（２）に示すようにキーボード部に繁体字・簡体字変換キー（２３０）が備えられ、繁体字で入力された文字の後にカーソルがある状態で繁体字・簡体字変換キーを１回押すと文字が簡体字に変換され、簡体字で入力された文字の後にカーソルがある状態で繁体字・簡体字変換キーを１回押すと文字が繁体字に変換されることができる。又は繁体字・簡体字変換キーを押すと入力された内容全体が繁体字は簡体字で、簡体字は繁体字に変換されることができる。
【０１２９】
図１９は本発明の一実施例におけるキーボードで中国語を入力するに当たり、繁体字・簡体字変換キーを示すものである。繁体字・簡体字変換キーが「繁体字」に設定していれば繁体字で入力され、繁体字・簡体字変換キーが「簡体字」に設定していれば簡体字で入力される。
【０１３０】
本発明の一実施例におけるキーボードで、前述のキーボード部の各キーにユーザーが自身が使いたい第２のデータや機能を予め登録しておき必要なとき各キーを長押しして直接入力したり実行させることができる。
【０１３１】
前述のキーボード部の各キーを１回押すと言語変換キーによって表出された音素や記号が入力されたり設定された機能が実行され、前述のキーボード部の各キーを長押しすると事前設定された第２のデータが入力されたり機能が実行される。
【０１３２】
図２０は、本発明の一実施例に基づき前述のキーボード部の各キーに第２のデータや機能を事前に設定する図面である。先ずキーボード設定画面（２４０）をディスプレイする。例えばＥｓｃキーを長押しするとキーボード設定画面が表示されるようにすることもできる。第１設定は、各キーに言語変換キーによって表出された音素や記号又は機能を割り当てることである。ユーザーが設定しようとするキーを選択し、第２の設定にデータや機能を登録する。好ましくは、１つのキーに１０〜２０個のデータや機能を予め番号順に登録しておけばよい。キーを長押ししたときは（１）番の位置に登録されたデータが入力されたり機能が実行される。予め１０個〜２０個のデータや機能を設定しておけば、必要なとき一々登録することなくすでに登録されたデータや機能の中から必要なものを選び、（１）番の位置に差し替えればよい。
【０１３３】
図２０の例を見ると
2019530101.tif 000010
「Ｕ」キーを１回押すと「Ｕ」が入力され「Ｕ」キーを長押しすると（１）番の位置にある「※」が入力される。
【０１３４】
もし（１）番の位置に「０１．mp３」の音楽ファイルを登録しておけば「Ｕ」キーを１回押すと「Ｕ」が入力され「Ｕ」キーを長押しすると（１）番の位置にある「０１．mp３」の音楽ファイルが入力されたり登録された音楽ファイルが再生できるように設定することもできる。
【０１３５】
このような方法で文字、記号、絵、写真、顔文字、スタンプ、絵文字、音楽ファイル、動画等のようにユーザーが頻繁に使うデータや機能を予め登録して事前設定されたキーを長押しすることで簡単に直接入力したり、ユーザーが頻繁に使う機能を設定してすぐ使うことができる。例えば「Ｃ」キーを長押しして写真撮影をしたり、「Ｄ」キーを長押しして言語辞書を開いたり「Ｅ」キーを長押ししてインターネットにアクセスし、「Ｍ」キーを長押ししてメールを開くこともある。「Ｐ」キーを長押しして印刷作業を実行させることもでき「Ｒ」キーを長押しして音声収録をしたり、「Ｓ」字を長押ししてスキャンをしたり「Ｖ」キーを長押しして動画撮影をする等ユーザーに合わせて多様な機能を迅速に実行させることができる。
【０１３６】
また本発明の一実施例に基づき、前述の機能は、言語変換キーが使われておらず言語変換をせずに１つの言語に固定されているキーボードや、２つの言語だけが交互に変換されるキーボードでも活用することができる。
【０１３７】
本発明の実施例はタッチ方式又はホログラム方式を含む多様な方式で適用されることができる。
【産業上の利用可能性】
【０１３８】
本発明はソフトウェア的に規則性と拡張機能性を与えて全世界の言語を簡単かつ効率よく入力する多言語文字入力装置で利用することができる。
【０１３９】
また本発明はユーザーが各キーに自身が使いたい文字や記号に変更して登録したり削除することのできるユーザーオーダーメードキーボードとして使うことができる。
【図１】
2019530101.tif 000016
【図２】
2019530101.tif 000017
【図３ａ】
2019530101.tif 000018
【図３ｂ】
2019530101.tif 000019
【図４ａ】
2019530101.tif 000020
【図４ｂ】
2019530101.tif 000021
【図４ｃ】
2019530101.tif 000022
【図５】
2019530101.tif 000023
【図６（ａ）】
2019530101.tif 000024
【図６（ｂ）】
2019530101.tif 000025
【図７ａ】
2019530101.tif 000026
【図７ｂ】
2019530101.tif 000027
【図７ｃ】
2019530101.tif 000028
【図８】
2019530101.tif 000029
【図９ａ】
2019530101.tif 000030
【図９ｂ】
2019530101.tif 000031
【図９ｃ】
2019530101.tif 000032
【図９ｄ】
2019530101.tif 000033
【図１０ａ】
2019530101.tif 000034
【図１０ｂ】
2019530101.tif 000035
【図１０ｂ（３）】
2019530101.tif 000036
【図１１（ａ）】
2019530101.tif 000037
【図１１（ｂ）】
2019530101.tif 000038
【図１２（ａ）】
2019530101.tif 000039
【図１２（ｂ）】
2019530101.tif 000040
【図１２（ｃ）】
2019530101.tif 000041
【図１２（ｄ）】
2019530101.tif 000042
【図１３（ａ）】
2019530101.tif 000043
【図１３（ｂ）】
2019530101.tif 000044
【図１４（ａ）】
2019530101.tif 000045
【図１４（ｂ）】
2019530101.tif 000046
【図１５】
2019530101.tif 000047
【図１６】
2019530101.tif 000048
【図１７（ａ）】
2019530101.tif 000049
【図１７（ｂ）】
2019530101.tif 000050
【図１８ａ】
2019530101.tif 000051
【図１８ｂ】
2019530101.tif 000052
【図１８ｃ】
2019530101.tif 000053
【図１９】
2019530101.tif 000054
【図２０】
2019530101.tif 000055
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
各言語の文字を音素に変換してキーに表出し、表出された文字音素が選択されて入力されるキーボード部；入力された文字を画面に出力する表示部；文字音素、データリスト及びプログラムが保存されている保存部及び前記キーボード部、表示部及び保存部を制御する制御部を含む多言語文字入力装置において、前記キーボード部は、上段に配置された数字と記号を表出する数字/記号キー部；前記数字/記号キー部の次に配置されて機能や文字又は設定された機能を表出するFキー部；前記Ｆキー部の次に各言語の基本音素を表出する文字キー部及び前記文字キー部の中に変形音素又は設定された記号を表出することのできる複数の追加キーを含み、前記キーボードの言語変換キーを使って言語変換時に前記文字キー部の音素数を超える言語は前記Ｆキー部と複数の追加キーに配置し、当該文字音素を全て表出して各言語の文字を１回のキー操作で入力できることを特徴とする多言語文字入力装置。
【請求項２】
請求項１において、前記キーボード部の変換キー又はファンクションキーには、機能又はデータを予め登録したり削除することのできる事前設定機能が含まれていることを特徴とする多言語文字入力装置。
【請求項３】
請求項２において、前記Ｆキー部はＦ＋αキーと複数のFキーで構成され、複数のFキーが追加されることができ、Ｆ＋αキーが活性化されていなければ複数のＦキー固有の機能が表出され、Ｆ＋αキーを押す回数によって追加された機能と連動するＦキーや文字音素が順次に表出されることを特徴とする多言語文字入力装置。
【請求項４】
請求項３において、前記Ｆ＋αキーを長押しすると設定画面が表示部に表示され、各Fキーに表出される機能や文字を登録又は削除することができ、Ｆキーが表出される順番を指定することができることを特徴とする多言語文字入力装置。
【請求項５】
請求項２において、前記複数の追加キーは、基本文字、変形文字、特殊文字、記号、符号、絵、写真などを入力するように使用されたり、ファンクションキーを設定するために使用されたり、「全体選択」、「コピー」、「保存」、「貼り付け」、「切り取り」及び「元に戻す」を含む編集を行うファンクションキーとして使用されるように設定されることを特徴とする多言語文字入力装置。
【請求項６】
請求項２において、前記数字/記号キー部は数字又は記号を直接入力することができ、数字/記号キーのうち任意のキーを長押しすると、数字/記号キー部全体において数字は記号に転換され、記号は数字に転換されて表出されることを特徴とする多言語文字入力装置。
【請求項７】
請求項２において、前記数字/記号キー部にトグル機能の数字/記号変換キーが含まれていることを特徴とする多言語文字入力装置。
【請求項８】
請求項２において、前記Ｆキー部と数字/記号キー部は、基本キー以外にもさらに追加キーを含み、追加キーには予めユーザーがデータを登録したり削除することのできるユーザー定義のキーが含まれていることを特徴とする多言語文字入力装置。
【請求項９】
請求項８において、前記ユーザー定義のキーは任意のキーのうち２つを同時に押すと表示部に設定画面が表示され、各キーに表出される複数のデータを登録したり削除することができ、各キーを長押しすると事前登録された複数のデータが所定の時間間隔で順次に変換され、指を離すと、そのとき現れていたデータが各キーに表出されることを特徴とする多言語文字入力装置。
【請求項１０】
請求項１において、前記キーボード部の第１行の中央にピリオドとコンマを配置するが、２つのキーに上下又は左右に配置したり、１つのキーに上下又は左右に配置したり、１つのキーにピリオドとコンマのうちいずれか１つを配置することを特徴とする多言語文字入力装置。
【請求項１１】
請求項１において、前記キーボード部に大文字・小文字変換キーを含み、大文字・小文字変換は文字が入力されてから大文字・小文字変換キーを押すと空白が入力された後の文字が大文字や小文字に変換され、変換範囲を選択した後大文字・小文字変換キーを押して変換するか、文字が入力されてから大文字・小文字変換キーを繰り返し打つと、カーソルより前に入力された単語や文章全体が変換することを特徴とする多言語文字入力装置。
【請求項１２】
請求項１において、前記キーボード部には始め括弧と終わり括弧機能を統合した統合括弧キーを含み、前記統合括弧キーを１回押すと始め括弧が入力され、前記統合括弧キーを再び１回押すと対称を成す終わり括弧が入力されることを特徴とする多言語文字入力装置。
【請求項１３】
請求項１２において、 前記統合括弧キーを繰り返し打つと、同じ始め括弧が連続して入力され、その後前記統合括弧キーを１回押す度、始め括弧に相応する終わり括弧が逆順に入力されることを特徴とする多言語文字入力装置。
【請求項１４】
請求項１において、前記キーボード部には統合通貨キーが含まれており、前記統合通貨キーは言語変換キーと連動し、言語変換が実行さたらその言語に関連する通貨記号が表出されることを特徴とする多言語文字入力装置。
【請求項１５】
請求項１において、前記キーボード部は、文字を入力してから翻訳される範囲を選択して他の言語に翻訳する翻訳キーを含むことを特徴とする多言語文字入力装置。
【請求項１６】
請求項１において、前記キーボード部の各キーに予め第２のデータや機能を設定し、前記キーを長押しすると第２のデータ又は機能が実行されることを特徴とする多言語文字入力装置。
【国際調査報告】
2019530101.tif 000056
2019530101.tif 000057
2019530101.tif 000058
2019530101.tif 000059